(57)【要約】【課題】毛髪のパーマ方法において、毛髪にダメージを与える要因を低減すると共に、効果的なパーマネントが可能な装置を提供する。【解決手段】毛髪を複数分割して巻き付けたロッドを着脱自在に挿入し、開閉可能な円筒形状の加圧ケース本体と、この円筒形状の加圧ケースの長手方向側面に連設して設けられた毛髪挟み部と、該毛髪挟み部に設けられた樹脂製の弱密着部材とから構成され、この弱密着部材を介して毛髪を挟んで前記ロッドを挿入固定する。【選択図】図１
0003140035.tif 000002
【実用新案登録請求の範囲】
【請求項１】
毛髪を複数分割して巻き付けたロッドを着脱自在に挿入し、開閉可能な円筒形状の加圧ケース本体と、この円筒形状の加圧ケースの長手方向側面に連設して設けられた毛髪挟み部と、該毛髪挟み部に設けられた樹脂製の弱密着部材とから構成され、この弱密着部材を介して毛髪を挟んで前記ロッドを挿入固定することを特徴とする、毛髪のパーマに使用する装置。
【考案の詳細な説明】
【技術分野】
【０００１】  本考案は、毛髪のパーマに使用する装置に関する。
【背景技術】
【０００２】  従来のストレートパーマやウエーブパーマの処理技術は、洗髪を行なった毛髪全体にコールド液等の軟化剤を塗布乃至含浸させて軟化処理を施した後、毛髪全体を複数等分に分割し、その分割した毛髪に熱処理、またはコーミング処理、或いはクリーム状の物質を塗布したり、またその分割した毛髪にロッドを巻き、次にコールド液等の硬化剤を塗布乃至含浸させて硬化処理を施し、所定の時間経過後ロッドを取り外し、最後に温湯リンス処理等を施すことによってストレートパーマーやウエーブパーマ処理を行なうものが中心であった。【０００３】  即ち、上記従来の処理技術は、毛髪に２種類のコールド液を含浸させることによって毛髪の硬度を変化させ、その過程に毛髪に熱処理、またコーミング処理、或いはクリーム状の物質を塗布したり、またその分割した毛髪をロッドに巻回させるものであり、毛髪にコールド液を充分含浸させるためは一定の時間放置する必要があるが、あまり長時間放置すると毛髪がコールド液によって損傷を受ける虞があるため、必然的に時間を短縮しているためストレート、ウエーブ処理の効果が長持ちしないという問題があった。【０００４】  そのため、現在スチームや加熱装置又は加熱ロッドを使った、毛髪へのコールド液の含浸又は浸透を促進する技術が各種商品化されて使用されている。しかしながら、この加熱によるコールド液の含浸又は浸透技術は、毛髪のダメージに直接繋がるものであり、しかも加熱の際に毛髪に対して加熱ムラが生じるためコールド液の含浸又は浸透が一定しないという問題があり、これに替わる技術が期待されている。【０００５】    そこで、例えば毛髪をロッドに巻き付けずに平面渦巻き状に容器に収めることにより、容器の嵩に比し処理される毛髪の量が多くなるとともに、毛束全体にパーマネント処理剤が満遍無く浸透するパーマネントウエーブ形成具が提案されている（特許文献１参照。）。【０００６】
【特許文献１】特開２００６−２８８４６４号広報
【考案の開示】
【考案が解決しようとする課題】
【０００７】    しかしながら、上記特許文献１のパーマネントウエーブ形成具は、容器本体に毛髪の任意の箇所から巻かれた毛束を渦巻き状に収納させるものであり、所望の仕上がりの髪型やウエーブに形成するためには、再度ロッドを使用するか、加熱して髪型の修正が必要となるものであった。【０００８】    そこで本考案は、上記従来の問題点に鑑みなされたもので、現在使用されているロッドをそのまま利用して、簡単な構造の加圧ケースに投入してセットするだけで、パーマに使用するコールド液等の薬液を効果的に毛髪に含浸又は浸透させることができる装置を提供するものである。
【課題を解決するための手段】
【０００９】    このため本考案の装置は、毛髪を複数分割して巻き付けたロッドを着脱自在に挿入し、開閉可能な円筒形状の加圧ケース本体と、この円筒形状の加圧ケースの長手方向側面に連設して設けられた毛髪挟み部と、該毛髪挟み部に設けられた樹脂製の弱密着部材とから構成され、この弱密着部材を介して毛髪を挟んで前記ロッドを挿入固定することを特徴とする。【００１０】  この装置をさらに遠赤外線照射装置などによる、間接加熱装置によって加熱を行なうことによって、毛髪および薬液を加熱し、加圧容器内の圧を高めることができる。
【考案の効果】
【００１１】    本考案の毛髪のパーマ方法に使用する装置は、毛髪を複数分割して巻き付けたロッドを着脱自在に挿入し、開閉可能な円筒形状の加圧ケース本体と、該円筒形状の加圧ケースの長手方向側面に連設して設けられた毛髪挟み部と、該毛髪挟み部に設けられた樹脂製の弱密着部材とから構成されているため、構造がシンプルであると同時に操作が簡単であり、また高価な装置を必要としないため安価であるという優れた効果を有する
【考案の実施するための最良の形態】
【００１２】  以下、本考案の実施の形態を、図面に示す実施例に基づいて説明するが、本考案が本実施例に限定されないことは言うまでもない。図１は本考案のパーマ方法に使用する装置を示す斜視図、図２は図１のＡ−Ａ線断面説明図、図３は本考案装置の使用例を示す図である。
【実施例】
【００１３】    図１は本考案のパーマ方法に使用する装置の斜視図、図２は、図１のＡ−Ａ線断面説明図を示しており、図に示すように本考案の装置である加圧ケース１は、透明の合成樹脂で円筒状に成形されたケース本体２は上下１対の略半円筒体からなり、軸方向側面部に設けられたヒンジ３回りに開閉可能とされ、毛髪を巻き付けたロッド４を挿入して嵌合部（図示せず）によって嵌合して封止可能とされている。そしてヒンジ３と対向する軸方向側面部には毛髪挟み部５がケース本体に連設して上下対向して設けられ、この毛髪挟み部５の対向する面にはシリコーンゴムからなる弱密着部材６がそれぞれ貼着され、ロッド４に巻き付けた毛髪の元部を挟持し、後述する遠赤外線照射による間接加圧時に微小のガス漏れを生じる。【００１４】    またケース本体２の上下１対の略半円筒の当接部には気密用のＯリング７が設けられ、圧力ケース１の密閉状態を維持すると共に、遠赤外線照射による間接加圧の際の不用なガス漏れを防止する。【００１５】    図３は、本考案のパーマ方法に使用する装置の使用例を示しており、本考案のパーマに使用する装置を毛髪にセットした状態を示している。図に示すように、パーマを受ける人の毛髪８をパーマ用ロッド４に巻き付け、加圧ケース１に挿入して毛髪の元部を毛髪挟み部５で挟んだ状態で封止している。【００１６】    この状態から、遠赤外線照射装置（図示せず）などによって加圧ケース１を間接加熱することによって、毛髪８と毛髪に塗布されたパーマ用薬液（図示せず）を加熱しながら加圧ケース１内が加圧され、ロッド４に巻き付けられた毛髪８は周囲から均一な圧力で加圧される。この結果、パーマ用薬液は毛髪８の内部に急速に含浸又は浸透する。【００１７】  以上、本考案による毛髪のパーマ装置によれば、毛髪を巻き付けたロッドを加圧容器に挿入固定することによって薬液を毛髪に含浸及び浸透させるため、短時間でしかも簡単にパーマ及びトリートメント等に使用する薬液を毛髪に含浸及び浸透させることができる。
【図面の簡単な説明】
【００１８】
【図１】本考案のパーマ方法に使用する装置を示す斜視図である。
【図２】図１のＡ−Ａ線断面説明図である。
【図３】本考案のパーマ方法に使用する装置の使用例を示す図である。
【符号の説明】
【００１９】  １        加圧ケース
２        ケース本体
３        ヒンジ
４        ロッド
５        毛髪挟み部
６        弱密着部材
７        Ｏリング
８        毛髪
【図１】
0003140035.tif 000003
【図２】
0003140035.tif 000004
【図３】
0003140035.tif 000005